(57)【要約】【課題】ベビーベッドやプレイヤード等の柵台、ベンチ、机の各形態におけるデザインに優れ、快適に使用できる組替式家具を提供する。【解決手段】ベビーベッドやプレイヤード等の柵台、ベンチ及び机の三形態に変換可能な組替式家具において、一対の側枠１と、その間に着脱自在に架設される受架材２、平板３及び柵材４とを基本構成部材として、受架材２及び平板３は側枠１に対して高さ調整自在とし、柵台の形態とするには、両側枠１の間で水平に向けた受架材２の後方に平板３を、前方に柵材４を立て、ベンチの形態とするには、両側枠１の間で水平に向けた受架材２の後方に平板３又は柵材４を立て、机の形態とするには、両側枠１の間で水平に向けた平板３の後部下方に受架材２を渡し、その後方に柵材４を立てる。【選択図】　図２
2004089682.tif 000002
【特許請求の範囲】
【請求項１】
ベビーベッドやプレイヤード等の柵台、ベンチ及び机の三形態に変換可能な組替式家具において、一対の側枠１と、その間に着脱自在に架設される受架材２、平板３及び柵材４とを基本構成部材として、受架材２及び平板３は側枠１に対して高さ調整自在とし、柵台の形態とするには、両側枠１の間で水平に向けた受架材２の後方に平板３を、前方に柵材４を立て、ベンチの形態とするには、両側枠１の間で水平に向けた受架材２の後方に平板３又は柵材４を立て、机の形態とするには、両側枠１の間で水平に向けた平板３の後部下方に受架材２を渡し、その後方に柵材４を立てることを特徴とする組替式家具。
【発明の詳細な説明】
【０００１】
【発明の属する技術分野】
この発明は、部材を組み替えて形態を変化させ、用途を変更できるようにした組替式家具に関するものである。
【０００２】
【従来の技術】
一般に、乳児を寝かせるベビーベッドは、子供が成長すると不要になるため、必要なときだけ借りられるレンタル品も存在するが、レンタル品の品質に不安を抱いて、新品を購入する人も多い。
【０００３】
この場合、購入したベビーベッドは、適当な譲渡先が見つからなければ、大型ごみとして処分しなければならなず、そのような無駄を省くため、柵を外してベンチに変形できる変換家具なども市販されている。
【０００４】
【発明が解決しようとする課題】
しかしながら、現在流通している変換家具では、各形態でのデザインや使用性に不満を感じる場合が多いという問題がある。
【０００５】
そこで、この発明は、ベビーベッドやプレイヤード等の柵台、ベンチ、机の各形態におけるデザインに優れ、快適に使用できる組替式家具を提供しようとするものである。
【０００６】
【課題を解決するための手段】
上記課題を解決するため、この発明では、ベビーベッドやプレイヤード等の柵台、ベンチ及び机の三形態に変換可能な組替式家具において、一対の側枠と、その間に着脱自在に架設される受架材、平板及び柵材とを基本構成部材として、受架材及び平板は側枠に対して高さ調整自在とし、柵台の形態とするには、両側枠の間で水平に向けた受架材の後方に平板を、前方に柵材を立て、ベンチの形態とするには、両側枠の間で水平に向けた受架材の後方に平板又は柵材を立て、机の形態とするには、両側枠の間で水平に向けた平板の後部下方に受架材を渡し、その後方に柵材を立てることとしたのである。
【０００７】
このように構成すると、柵台、ベンチ及び机の各形態において、側枠に対する受架材や平板の取付高さを調整することにより、台面、座面及び机上面の高さを任意に設定することができ、その組立状態において、側枠を連結する各部材により必要な強度も確保され、側枠及び柵材のデザインにより特徴ある外観にすることができる。
【０００８】
【発明の実施の形態】
まず、この発明の第１実施形態を図１乃至図６に基づいて説明する。
【０００９】
図１に示すように、この組替式家具は、一対の側枠１と、二枚の受架材２と、各一枚の平板３及び柵材４とを基本構成部材として使用する。
【００１０】
側枠１は、縦格子状のものであり、その両側及び中央部の縦支柱には、上下に並ぶ多数の貫穴５が形成されている。受架材２は、簀の子状の複合材であり、平板３は、大型長方形の板材である。柵材４は、上下２枚の縦格子状の柵板６，７を蝶番８で連結したものである。
【００１１】
受架材２、平板３及び柵材４の両端面にはねじ穴（図示省略）が形成され、これらの部材２乃至４を側枠１に固定する際には、貫穴５を介して部材２乃至４の端面のねじ穴にボルトをねじ込む。
【００１２】
このような部材１乃至４からベビーベッドを組み立てるには、図２に示すように、一対の側枠１を対向させ、その間に受架材２を二枚前後に並べて固定すると共に、受架材２の後方に平板３を、前方に柵材４を立てて固定し、受架材２の上面にマットレス９を敷く。また、側枠１の下端には、移動用のキャスター１０を取り付けておく。
【００１３】
そして、このように組み立てた状態において、図３に示すように、柵材４の上方の柵板６を、両側の固定を解除して前方へ倒すと、赤ん坊を寝かしたり、おむつを替えたりするのが容易になる。
【００１４】
また、上記のように基本構成部材を組み合わせた柵台の状態において、ベビーベッドではなく、幼児を遊ばせるプレイヤードとして使用する場合には、マットレス９を除去し、受架材２をベビーベッドとしての使用時よりも下げた位置で両側枠１に固定する。このような組立状態では、受架材２の上方空間が両側枠１、柵材４及び平板３で囲まれるので、幼児を安心して遊ばせることができる。
【００１５】
次に、この組替式家具をベンチとするには、図４に示すように、一対の側枠１を対向させ、その間に受架材２を二枚前後に並べて固定し、受架材２の下方に平板３を渡し、後方に柵材４を立てて固定した後、受架材２の上面に座面クッション１１を置き、その後部に必要に応じて背凭れクッション１２を置く。
【００１６】
また、この組替式家具を机とするには、図５に示すように、一対の側枠１を対向させ、その上部間に平板３を固定し、平板３の後部下方に棚となる受架材２を二枚上下に並べて渡し、その後方に柵材４を立て、平板３の前部下方に引出し１３を挿入し、引出し１３の上面に一方が開口したトレー１４を載せる。
【００１７】
なお、図６に示すように、平板３を低い位置に固定する場合には、トレー１４を平板３の上面に載せて、開口面を手前に向けておくとよい。
【００１８】
このように、上記組替式家具は、基本構成部材１乃至４を適宜組み替えることにより、ベビーベッドやプレイヤード等の柵台、ベンチ及び机の三形態に相互に変換できるので、子供の成長に応じて、柵台からベンチ又は机へと形態を変化させて使用することができ、また、ベンチと机の間で形態を変更して使用することもできる。
【００１９】
そして、柵台、ベンチ及び机の各形態において、ボルトを挿入する貫穴５を選択して受架材２や平板３の取付高さを調整することにより、幼児の寝床や遊ぶ床となる台面、座面及び机上面の高さを任意に設定することができる。
【００２０】
また、このとき、両側枠１が受架材２、平板３及び柵材４により堅固に連結されるので、必要な強度が確保される。
【００２１】
そのほか、縦格子状の側枠１及び柵材４により、統一感のある外面が構成されるので、デザイン的にも特徴あるものとなる。
【００２２】
次に、この発明の第２実施形態を図７乃至図１２に基づいて説明する。なお、この実施形態の基本構造は、上記第１実施形態と同様であることから、対応する部材に同一の符号を使用し、第１実施形態との相違点にのみ言及する。
【００２３】
この実施形態に係る組替式家具では、側枠１及び柵材４が横格子状となっており、受架材２は、枠内に嵌めた板材に多数の小穴を穿設したものとなっている。また、平板３の一方の端縁は、弧状に湾入した形状となっている。
【００２４】
このような部材を使用すると、横格子状の側枠１及び柵材４により、デザイン的に特徴あるものとなり、机の形態としたとき、平板３の湾入した端縁を前側に向けることにより、使用性に優れたものとなる。
【００２５】
【発明の効果】
以上のように、この発明に係る組替式家具は、ベビーベッドやプレイヤード等の柵台、ベンチ及び机の各形態において、幼児の寝床や遊ぶ床となる台面、座面及び机上面の高さを調整でき、その組立状態において、側枠を連結する各部材により必要な強度も確保され、側枠及び柵材のデザインにより特徴ある外観にすることもできる。
【図面の簡単な説明】
【図１】この発明の第１実施形態に係る組替式家具の構成部材を示す図
【図２】同上のベビーベッドとして使用する柵台とした状態を示す斜視図
【図３】同上の前面を開けた状態を示す斜視図
【図４】同上のベンチとした状態を示す斜視図
【図５】同上の机とした状態を示す斜視図
【図６】同上の平板を下げてトレーを載せた状態を示す斜視図
【図７】この発明の第２実施形態に係る組替式家具の構成部材を示す図
【図８】同上のベビーベッドとして使用する柵台とした状態を示す斜視図
【図９】同上の前面を開けた状態を示す斜視図
【図１０】同上のベンチとした状態を示す斜視図
【図１１】同上の机とした状態を示す斜視図
【図１２】同上の平板を下げてトレーを載せた状態を示す斜視図
【符号の説明】
１　側枠
２　受架材
３　平板
４　柵材
５　貫穴
６，７　柵板
８　蝶番
９　マットレス
１０　キャスター
１１　座面クッション
１２　背凭れクッション
１３　引出し
１４　トレー
【図１】
2004089682.tif 000003
【図２】
2004089682.tif 000004
【図３】
2004089682.tif 000005
【図４】
2004089682.tif 000006
【図５】
2004089682.tif 000007
【図６】
2004089682.tif 000008
【図７】
2004089682.tif 000009
【図８】
2004089682.tif 000010
【図９】
2004089682.tif 000011
【図１０】
2004089682.tif 000012
【図１１】
2004089682.tif 000013
【図１２】
2004089682.tif 000014